(57)【特許請求の範囲】
【請求項１】
局部洗浄用供給流路より供給される洗浄水の水圧によってノズルをシリンダから突出させ、ノズルの噴出口から前記洗浄水を局部に向けて噴出させるとともに、局部洗浄終了時およびノズル伸張時にはノズル洗浄用供給流路から前記シリンダに供給されるノズル用洗浄水によって前記ノズルを洗浄する人体局部洗浄装置において、
前記シリンダと前記ノズル洗浄用供給流路とを接続する接続手段を備えてなり、この接続手段は、一部が開口した接続口を形成して前記ノズル洗浄用供給流路に接続され、周面に吐出口を有するように形成され、
前記シリンダは、ノズル洗浄用給水口とシリンダの左右方向に開放し前記接続手段がその左右方向から選択的に差し込まれ前記接続口とノズル洗浄用給水口を接続させる接続部とを有していることを特徴とする人体局部洗浄装置。
【請求項２】
局部洗浄用供給流路より供給される洗浄水の水圧によってノズルをシリンダから突出させ、ノズルの噴出口から前記洗浄水を局部に向けて噴出させるとともに、局部洗浄終了時およびノズル伸張時にはノズル洗浄用供給流路から前記シリンダに供給されるノズル用洗浄水によって前記ノズルを洗浄する人体局部洗浄装置において、
前記シリンダと前記ノズル洗浄用供給流路とを接続する接続手段を備えてなり、この接続手段は、一端が閉塞し開口端が接続口を形成して前記ノズル洗浄用供給流路に接続され、周面に吐出口を有する筒状体に形成され、
前記シリンダは、前端部上面に形成されたノズル洗浄用給水口とシリンダの左右方向に開放し前記接続手段がその閉塞端側よりシリンダの左右方向から選択的に差し込まれ前記接続口とノズル洗浄用給水口を接続させる筒状の接続部とを有していることを特徴とする人体局部洗浄装置。
【発明の詳細な説明】
【０００１】
【発明の属する技術分野】
本発明は、用便後の身体の局部を洗浄する人体局部洗浄装置に関し、さらに詳しくは給水方向の異なる洗浄ノズルの共通部品化を企画した人体局部洗浄装置に関する。
【０００２】
【従来の技術】
洋式の便器に設置されるこの種の人体局部洗浄装置は、洗浄装置本体内に組み込まれた洗浄ノズルを備え、スイッチ操作によって洗浄ノズルから洗浄水を上方に向けて噴出させることにより、局部洗浄を行うように構成されている。
【０００３】
洗浄装置本体は、左右いずれか一方の側部に操作部をもつ片袖タイプのものが最も一般的で、袖部の上面に各種の操作スイッチを取付け、袖部側の内部に電磁弁、減圧弁、逆止弁、ミキシングバルブ、流路切替弁等が組み込まれるとともに、給水配管および給湯配管が配管されている。袖部を洗浄装置本体の両側に設けない理由は、トイレ内のレイアウトにもよるが、片側しか余分な空間を確保できない場合が多いからである。
【０００４】
洗浄ノズルは、ノズルの駆動方式によって大別すると、モータ等の駆動源によって進退されるものと、駆動源を備えず洗浄水の水圧のみによって伸張され、ばねによって後退復帰されるものとの２種類がある。駆動源式の洗浄ノズルは、一般家庭等に広く普及しており、洗浄ノズルの主流をなしている。一方、水圧式の洗浄ノズルは、特開平１１−１８１８６６号公報、特公平２−１５７００号公報等に開示されたものが知られており、電源を必要としないため、駆動源式に較べて構造が簡単で安価に製作できるという利点を有している。また、特に既設のビジネスホテルなどでは、そのための電力を新たに確保したり、トイレに配線したりする必要がなく容易に設置することができることから、水圧式洗浄装置の需要が高まってきており、徐々に普及しつつある。
【０００５】
ノズルによる洗浄形式によって大別すると、２本のノズルによって肛門洗浄とビデ洗浄を別々に行うものと、１本のノズルを１段階に突出させて肛門洗浄とビデ洗浄を行うものと、１本のノズルを２段階に突出させて肛門洗浄とビデ洗浄を行うものとの３種類がある。さらに、この種の人体局部洗浄装置は、肛門洗浄を行うと汚物がノズルに付着するおそれがあるため、肛門洗浄後にノズルの外周を洗浄するノズル洗浄を行うようにしている。また、肛門洗浄とビデ洗浄を連続して行う場合は、肛門洗浄した後にノズルを一旦初期位置に後退させてノズル洗浄を行い、しかる後再度ノズルを伸張させてビデ洗浄を行うか、または肛門洗浄した後その位置で洗浄しさらに伸張させてビデ洗浄を行うようにしている。
【０００６】
【発明が解決しようとする課題】
従来のこの種の人体局部洗浄装置は、左右のいずれか一方の片側に操作部をもつ片袖タイプのものが主流である。このため、左袖タイプと右袖タイプの洗浄装置本体を２種類製作していた。例えば、ホテルなどにおいては、図８に示すように配管等の関係から隣り合う客室の間取りを左右対称的に設計することが多いことから、客室に設置されるユニットバス１も左右対称なものとなり、そのいずれにも対応し得るようにするためには、右袖タイプと左袖タイプの洗浄装置本体２を準備する必要があった。なお、図において３は便器、４は洗浄ノズル、５は洗面台、６は洗面器、７はバス、８は扉である。
また、洗浄ノズル４についても、洗浄装置本体２に応じて２種類製作していた。すなわち、洗浄装置本体２はその袖部２Ａ側において図示しない給水配管と給湯配管が配管され、これらの配管と洗浄ノズル４との間に各種の弁を組込むことにより、局部洗浄用とノズル洗浄用の配管の引き回しを短縮し、必要以上に曲げたり、厚みを薄くするために上下方向から洗浄ノズル４に接続しないように設計されている。このため、左袖タイプの洗浄装置本体２に対しては左側に洗浄水用の供給口を備えた洗浄ノズルを製作し、右袖タイプの洗浄装置本体に対しては右側に洗浄水用の供給口を備えた洗浄ノズルを製作していた。また、ノズル洗浄においても同様にノズル洗浄用給水口をノズル洗浄用の配管側に設けていた。
このように、従来は洗浄ノズル４を配管位置、言い換えれば洗浄装置本体２の袖部位置に応じて２種類製作する必要があったため、ノズルの種類が増え、その製造および在庫管理が煩雑で、製造コストが高くなるという問題があった。
【０００７】
本発明は上記した従来の問題を解決するためになされたもので、その目的とするところは、簡単な接続手段を用いることにより洗浄装置本体が左袖タイプ、右袖タイプのいずれであっても洗浄ノズルを共通に使用することができ、製造コストを低減するとともに在庫管理を容易に行い得るようにした人体局部洗浄装置を提供することにある。
【０００８】
【課題を解決するための手段】
上記目的を達成するために第１の発明は、局部洗浄用供給流路より供給される洗浄水の水圧によってノズルをシリンダから突出させ、ノズルの噴出口から前記洗浄水を局部に向けて噴出させるとともに、局部洗浄終了時およびノズル伸張時にはノズル洗浄用供給流路から前記シリンダに供給されるノズル用洗浄水によって前記ノズルを洗浄する人体局部洗浄装置において、前記シリンダと前記ノズル洗浄用供給流路とを接続する接続手段を備えてなり、この接続手段は、一部が開口した接続口を形成して前記ノズル洗浄用供給流路に接続され、周面に吐出口を有するように形成され、前記シリンダは、ノズル洗浄用給水口とシリンダの左右方向に開放し前記接続手段がその左右方向から選択的に差し込まれ前記接続口とノズル洗浄用給水口を接続させる接続部とを有しているものである。
【００１１】
第２の発明は、局部洗浄用供給流路より供給される洗浄水の水圧によってノズルをシリンダから突出させ、ノズルの噴出口から前記洗浄水を局部に向けて噴出させるとともに、局部洗浄終了時およびノズル伸張時にはノズル洗浄用供給流路から前記シリンダに供給されるノズル用洗浄水によって前記ノズルを洗浄する人体局部洗浄装置において、前記シリンダと前記ノズル洗浄用供給流路とを接続する接続手段を備えてなり、この接続手段は、一端が閉塞し開口端が接続口を形成して前記ノズル洗浄用供給流路に接続され、周面に吐出口を有する筒状体に形成され、前記シリンダは、前端部上面に形成されたノズル洗浄用給水口とシリンダの左右方向に開放し前記接続手段がその閉塞端側よりシリンダの左右方向から選択的に差し込まれ前記接続口とノズル洗浄用給水口を接続させる筒状の接続部とを有しているものである。
【００１３】
第１、第２の発明において、ノズル洗浄用の接続手段は、ノズル洗浄用供給流路がノズルに対して左側にある場合、接続口を左側にしてシリンダに取付けられ、右側にある場合は接続口を右側にしてシリンダに取付けられる。したがって、ノズル自体は、供給流路が左右のいずれであっても共通に使用することができる。
【００１４】
【発明の実施の形態】
以下、本発明を図面に示す実施の形態に基づいて詳細に説明する。
図１は本発明の一実施の形態を示す洗浄ノズルの外観斜視図、図２は同ノズルの洗浄装置本体内に組み込まれている状態を示す平面図、図３は不使用時の断面図、図４はピストンの斜視図、図５は図１のＶ−Ｖ線断面図、図６は肛門洗浄時の状態を示す断面図、図７はビデ洗浄時の状態を示す断面図である。なお、図３、図６および図７においては、ノズル先端部を垂直に断面した図で示し、その他の部分を水平に断面した図で示している。
【００１５】
これらの図において、人体局部洗浄装置２０は、図８に示した従来の人体局部洗浄装置と同様に、便器３に着座している使用者から見て袖部２Ａが右側に設けられた洗浄装置本体２と、この洗浄装置本体２の内部に配設された水圧式の洗浄ノズル２１、ミキシングバルブ２２、電磁弁２３，２４、切替弁装置２５、流量調節弁２６、図示しない温度サーミスタ、減圧弁、逆止弁等を備え、洗浄時にノズル３０を洗浄水３１の水圧によって伸張し便器内に突出させることにより、肛門洗浄、ビデ洗浄または肛門洗浄とビデ洗浄を連続して行うように構成されている。
【００１６】
前記洗浄装置本体２の内部中央には前記洗浄ノズル２１が配設され、この洗浄ノズル２１より袖部側（右側）に前記ミキシングバルブ２２、電磁弁２３，２４等が配設され、さらにその右側には給水配管１０および給湯配管１１が配管されている。給水配管１０によって供給される水と給湯配管１１によって供給される温水（７０°Ｃ前後）は、ミキシングバルブ２２によって混合され、局部洗浄用供給流路３３またはノズル洗浄用供給流路３４によって前記洗浄ノズル２１に洗浄水３１（４０°Ｃ程度の温水）として導かれる。ノズル洗浄用供給流路３４には、洗浄水３１の一部を便器内に排水するドレン流路２７が接続されている。前記電磁弁２３，２４は、局部洗浄用供給流路３３とノズル洗浄用供給流路３４にそれぞれ設けられている。
【００１７】
前記洗浄ノズル２１は、操作用シリンダ２８と、この操作用シリンダ２８内に進退自在に嵌挿され、洗浄水３１の水圧によって作動されるピストン２９と、肛門洗浄時に肛門洗浄位置に移動し、ビデ洗浄時にはビデ洗浄位置に移動し、肛門洗浄とビデ洗浄を連続して行う場合は肛門洗浄した後肛門洗浄位置から一旦初期位置に復帰してノズル洗浄を行い、しかる後ビデ洗浄位置に移動するノズル３０と、このノズル３０を復帰方向に付勢する復帰用ばね３２等を備え、前記局部洗浄用供給流路３３、ノズル洗浄用供給流路３４および流路３５ａ〜３５ｅに接続されている。
【００１８】
前記操作用シリンダ２８は、前後端が開口した内径が異なるプラスチック製の異径管からなり、前半部が小径の第１のシリンダ２８Ａを構成し、後半部が大径の第２のシリンダ２８Ｂを構成している。このため、操作用シリンダ２８の内周面で第１のシリンダ２８Ａと第２のシリンダ２８Ｂの接続部には、前記ピストン２９の前進動を制限する段部３７が設けられている。また、第１のシリンダ２８Ａの中間部にはさらに小径部３８が形成されており、この小径部３８の後端面が前記ノズル３０の前進動を制限する係止部３９として機能し、前端側にばね受部４０が一体に設けられている。このばね受部４０は、前記復帰用ばね３２の前端を受け止めるとともに、前記ノズル３０を摺動自在に支持し案内するもので、内径が前記小径部３８の内径より小さく、前記ノズル３０の外径より大きいリング状に形成されている。また、ばね受部４０のノズル３０を支持し案内する摺動面４０ａには、ノズル３０の回転を防止する図示しない突起が一体に突設されている。
【００１９】
前記操作用シリンダ２８の後端側開口部は洗浄水供給口４２を形成し、前記局部洗浄用供給流路３３が接続具（接続手段）４３を介して接続されている。前記接続具４３は、合成樹脂によって浅底のキャップ状に形成された本体４３Ａと、この本体４３Ａの表面に一体に突設され前記局部洗浄用供給流路３３の一端が接続される接続部４３Ｂとを備えている。この接続部４３Ｂは一端が開放する筒体で、開放端側が接続口４４を形成して本体４３Ａより外側に突出し、閉塞端が本体４３Ａの表面中央に位置するように本体４３Ａの半径方向に形成されている。また、本体４３Ａの表面と接続部４３Ｂとの接合部には、接続部４３Ｂの軸線方向に長い長穴からなる流入口４５が形成されている。さらに、本体４３Ａの外周には、２つのねじ取付部４７（図２）が周方向に１８０°位相を異ならせて一体に突設されている。
【００２０】
このような接続具４３は、前記操作用シリンダ２８の後端開口部にシール部材４６（図３）を介して嵌合され、止めねじ４８（図２）を前記ねじ取付部４７に設けたねじ取付孔に挿通し、操作用シリンダ２８の後端部外周に突設した固定部４９にねじ込むことにより着脱可能に、かつ接続部４３Ｂの向きが左右方向に変更可能に取付けられる。
【００２１】
接続具４３の取付けに際しては、洗浄装置本体２が右袖タイプで、前記給水配管１０、給湯配管１１および局部洗浄用供給流路３３が洗浄ノズル２１の右側に配管されているため、接続具４３を右向きに、言い換えれば接続部４３Ｂが右を向くように操作用シリンダ２８に取付ける。このように、接続部４３Ｂを右向きにして取付けると、局部洗浄用供給流路３３を折り曲げたりする必要がなく、左向きに取付けた場合に較べて容易に接続することができる。何故なら、左向きに取付けた場合は、局部洗浄用供給流路３３を洗浄ノズル２１の左側に導き、かつ先端部を折り返して接続部４３Ｂに接続する必要があるからである。一方、洗浄装置本体２が左袖タイプの場合は、給水配管１０、給湯配管１１および局部洗浄用供給流路３３が洗浄ノズル２１の左側に配管されるため、図３に二点鎖線で示すように接続具４３’を接続部４３Ｂが左を向くように１８０°回転させて操作用シリンダ２８に取付ければよい。
【００２２】
また、前記操作用シリンダ２８の左側面には、内外を連通させるノズル用洗浄水供給口５０、ノズル操作用供給口５１および第１、第２の吐出口５２，５３が設けられている。ノズル用洗浄水供給口５０と第２の吐出口５３は、前記小径部３８を挟んでその前後に位置するように第１のシリンダ２８Ａ側に形成され、前記流路３５ｅ，３５ｄにそれぞれ接続されている。ノズル操作用供給口５１と第１の吐出口５２は、前記段部３７を挟んでその前後に位置するように第１、第２のシリンダ２８Ａ，２８Ｂの接続部に形成され、流路３５ｂ，３５ａにそれぞれ接続されている。
【００２３】
さらに前記操作用シリンダ２８の前端部上面には、図１、図２および図５に示すようにノズル洗浄用給水口５５が形成されるとともに、この給水口５５を覆う接続部５６が設けられている。接続部５６は、操作用シリンダ２８の軸線方向と直交する両端開放の筒状体に形成され、この接続部５６にノズル洗浄用の接続手段として接続具５７が着脱可能に、かつ左右の向きが変更可能に取付けられている。そして、前記操作ノズル２８の前端部側で前記ノズル洗浄用給水口５５が形成されている内部は、ノズル洗浄室６２を形成している。
【００２４】
前記接続具５７は、一端のみが開放する筒体からなり、開放端が接続口６１を形成し前記ノズル洗浄用供給流路３４の一端が接続される。また、接続具５７の周面で上面側には接続部５６に対して接続具５７を位置決めする位置決め用突起５８が一体に突設され、一側面には前記接続部５６に係合し接続具５７の回転を防止する鉤形の係合片５９が一体に突設され、さらに下面中間部には前記ノズル洗浄用給水口５５に連通する吐出口６０が形成されている。
【００２５】
接続具５７の取付けに際しては、上記した接続具４３と同様に、洗浄装置本体２が右袖タイプで、前記給水配管１０、給湯配管１１およびノズル洗浄用供給流路３４が洗浄ノズル２１の右側に配管されているため、接続口６１を右向きにして操作用シリンダ２８の右側から閉塞端側を接続部５６に嵌合し、位置決め用突起５８を接続部５６の挿入側端面に接触させて位置決めし、前記ノズル洗浄用給水口５５と吐出口６０を連通させればよい。このように、接続口６１を右向きにして接続具５７を接続部５６に取付けると、ノズル洗浄用供給流路３４を折り曲げたりする必要がなく、左向きに取付けた場合に較べて容易に接続することができる。一方、洗浄装置本体２が左袖タイプの場合は、給水配管１０、給湯配管１１およびノズル洗浄用供給流路３４が洗浄ノズル２１の左側に配管されるため、図１に二点鎖線で示すように接続具５７’を接続口６１’が左を向くように操作用シリンダ２８の左側から接続部５６に取付ければよい。
【００２６】
図３において、前記切替弁装置２５は、前記各流路３５ｂ，３５ｃ，３５ｄ，３５ｅにそれぞれ接続された４個の切替弁Ｖ１〜Ｖ４を備えている。流路３５ａと流路３５ｃおよび流路３５ｅは直列に接続され、流路３５ｃと流路３５ｅに切替弁Ｖ２，Ｖ４がそれぞれ接続されている。流路３５ｂは切替弁Ｖ１を備え、切替弁Ｖ２より上流側において前記流路３５ｃに接続されている。流路３５ｄは切替弁Ｖ３を備え、流路３５ｃと流路３５ｅとの接続部に接続されている。前記各切替弁Ｖ１〜Ｖ４は、前記電磁弁２３，２４とともに制御部６７からの駆動信号によって駆動されることにより開閉制御されるもので、肛門洗浄時には切替弁Ｖ２，Ｖ４のみが開き、切替弁Ｖ１，Ｖ３が閉じた状態に保持されることにより流路３５ａ、流路３５ｃおよび流路３５ｅを連通させる。一方、ビデ洗浄時には切替弁Ｖ１，Ｖ３，Ｖ４が開き、切替弁Ｖ２が閉じた状態に保持されることにより、流路３５ａ、流路３５ｃの一部（バルブＶ２より上流側）、流路３５ｂ、操作用シリンダ２８、流路３５ｄおよび流路３５ｅを連通させる。なお、ノズル３０に供給される洗浄水３１の流量は、流量調節弁２６を手動操作することにより調節される。
【００２７】
図３および図４において、前記ピストン２９は合成樹脂製で、円板状の受圧板２９Ａと、この受圧板２９Ａの受圧面（背面）側に一体に突設された円筒部２９Ｂとを備え、受圧板２９Ａの前面にリング状のシール部材６３が嵌着されている。なお、ピストン２９と第２シリンダ２８Ｂの内壁の間には微小な隙間が設けられている。
【００２８】
図１および図３において、前記ノズル３０は、合成樹脂によって前記ばね受部４０の内径より僅かに小さい外径を有する細長い筒状に形成され、内部に肛門洗浄用通路６５とビデ洗浄用通路６６が形成されている。肛門洗浄用通路６５の前方側開口部は、ノズル３０の前端側上面に開口することにより噴出口６５ａを形成している。一方、後方側開口部６５ｂは、肛門洗浄時にノズル３０が前方へ移動して肛門洗浄位置に停止したとき前記ノズル用洗浄水供給口５０と一致し連通する位置に形成されている。ビデ洗浄用通路６６の前方側開口部は、ノズル３０の前端側上面で前記噴出口６５ａより前方に位置して開口することにより噴出口６６ａを形成している。一方、後方側開口部６６ｂは、ビデ洗浄時にノズル３０が最大ストローク前進してビデ洗浄位置に停止したとき前記ノズル用洗浄水供給口５０と一致し連通する位置に形成されている。肛門洗浄位置は図６に示す位置で、ノズル３０の後端フランジ部がノズル操作用供給口５１の直前に移動した位置とされる。ビデ洗浄位置は図７に示す位置で、ノズル３０の後端フランジ部が第２の吐出口５３の直前に移動し係止部３９に当たった位置とされる。前記噴出口６５ａ，６６ａは、図１に示すように複数個の小孔によって構成されるが、図３、図６および図７においては１つの小孔として示している。
【００２９】
前記ノズル３０の外周面には、互いに平行な２つの平坦部７０（図１）が形成されており、この平坦部７０と前記ばね受部４０との隙間が水抜き用の隙間を形成している。
【００３０】
前記ノズル３０の後端側外周面と後端面には、受圧板を形成するフランジ７１とピン７２がそれぞれ一体に突設されている。フランジ７１は、前記第１のシリンダ２８Ａの内径より僅かに小さい外径を有し、前面側にシール部材７３が装着されている。ピン７２はノズル３０の後端面中央に一体に突設され、前記ピストン２９の受圧板２９Ａに当接し、ピストン２９とノズル３０を離間させている。これは、ビデ洗浄時にノズル操作用供給口５１から第１のシリンダ２８Ａ内に流入する洗浄水３１をフランジ７１の受圧面（背面）側に供給するためである。
【００３１】
前記ノズル３０を復帰方向に付勢する前記復帰用ばね３２は圧縮コイルばねからなり、前記ばね受部４０とフランジ７１との間に弾装されている。
【００３２】
次に、このような構造からなる洗浄ノズル２１による洗浄動作について説明する。
図３は非洗浄時の状態を示す。この状態において、ノズル３０は復帰用ばね３２によって初期位置に保持されることによりピストン２９を接続具４３の内面に押付けている。このとき、電磁弁２３，２４および切替弁Ｖ１〜Ｖ４は閉じている。
【００３３】
使用者が用便後に洗浄装置本体２の袖部に設けられている肛門洗浄用のスイッチを操作すると、電磁弁２３と切替弁Ｖ２，Ｖ４が開く。電磁弁２３が開くと、洗浄水３１は局部洗浄用供給流路３３および接続具４３を通って第２のシリンダ２８Ｂ内に供給され、その水圧でピストン２９を押圧する。したがって、ピストン２９とノズル３０は復帰用ばね３２に抗して一体的に前進し、ノズル３０の前端部が操作用シリンダ２８の前端側開口部７５から突出する。ピストン２９は最大ストローク前進すると、段部３７に当接して停止する。ピストン２９が前進して停止すると、第２のシリンダ２８Ｂ内に流入した洗浄水３１は、第１の吐出口５２−流路３５ａ−流路３５ｃ−流路３５ｅを通ってノズル用洗浄水供給口５０に供給される。一方、切替弁Ｖ１がＯＦＦのため流路３５ｂを通って第１のシリンダ２８Ａのノズル操作用供給口５１には供給されない。このため、ピストン２９の停止に伴いノズル３０も停止する。この停止位置が肛門洗浄位置であり、前記ノズル用洗浄水供給口５０より肛門洗浄用通路６５に供給される洗浄水３１をその噴出口６５ａから上方に向けて噴出し肛門洗浄を所望の時間行う。
【００３４】
肛門洗浄後、肛門洗浄用のスイッチをＯＦＦにすると、電磁弁２３、切替弁Ｖ２，Ｖ４が閉じ、電磁弁２４が開く。電磁弁２３が閉じると、洗浄ノズル２１への洗浄水３１の供給が停止するため、洗浄水３１の水圧が低下する。したがって、ノズル３０は復帰用ばね３２の弾撥力によって徐々に後退して図３に示す初期位置に復帰し、ピストン２９を接続具４３の内面に押付ける。このとき、操作用シリンダ２８内に残った洗浄水３１は、ノズル３０との隙間を通って操作用シリンダ２８の前端側開口部７５から便器内に排水される。
【００３５】
一方、電磁弁２４が開くと、洗浄水３１はノズル洗浄用供給流路３４を通ってノズル洗浄室６２に供給されることにより、ノズル３０の外周を洗浄する。このノズル洗浄においては、局部洗浄に較べて洗浄水３１の使用量が少なくてよいため、その一部がドレン流路２７を通って便器内に排水される。そして、ノズル洗浄を所望の時間行うと、電磁弁２４は閉じる。
【００３６】
使用者がビデ洗浄用のスイッチを操作すると、電磁弁２３と切替弁Ｖ１，Ｖ３，Ｖ４が開く。電磁弁２３が開くと、局部洗浄用供給流路３３から供給される洗浄水３１は接続具４３を通って第２のシリンダ２８Ｂ内に流入し、その水圧でピストン２９とノズル３０を復帰用ばね３２に抗して前進させる。このため、ノズル３０は操作用シリンダ２８の前端側開口部７５から突出する。ピストン２９は最大ストローク前進すると段部３７に当接して停止する。ピストン２９が停止すると、ノズル３０はピストン２９によっては移動されなくなるが、第２のシリンダ２８Ｂ内に供給された洗浄水３１が第１の吐出口５２−流路３５ａ−流路３５ｃの一部−流路３５ｂ−ノズル操作用供給口５１を通って第１のシリンダ２８Ａ内に導かれ、その水圧でフランジ７１を押圧するため、図７に示すようにさらに伸張してビデ洗浄位置に移動し、この位置でシール部材７３が係止部３９に当接することにより停止する。この状態において、ビデ洗浄用通路６６の後方側開口部６６ｂがノズル用洗浄水供給口５０と合致してビデ洗浄が開始される。すなわち、ノズル３０が最大ストローク前進してビデ洗浄位置に停止すると、第１のシリンダ２８Ａ内に導かれた洗浄水３１は、第２の吐出口５３−流路３５ｄ−流路３５ｅを通ってノズル用洗浄水供給口５０よりビデ洗浄用通路６６に供給されるため、その噴出口６６ａから上方に向かって噴出されビデ洗浄を所望の時間行う。
【００３７】
ビデ洗浄後、ビデ洗浄用のスイッチをＯＦＦにすると、電磁弁２３、切替弁Ｖ１，Ｖ３，Ｖ４が閉じ、洗浄水３１の供給が停止するため、ピストン２９とノズル３０を肛門洗浄時と同様に初期位置に復帰させることができる。このときも操作用シリンダ２８内に残った洗浄水は、ノズル３０との隙間を通って操作用シリンダ２８の前端側開口部７５から便器内に排水されるので、操作用シリンダ２８内に残留するようなことはない。また、ビデ洗浄終了時に電磁弁２４が開くことにより、肛門洗浄終了時と同様に洗浄水３１がノズル洗浄用供給流路３４を通ってノズル洗浄室６２に供給されることによりノズル３０の洗浄を行う。
【００３８】
肛門洗浄とビデ洗浄を連続して行うときは、肛門とビデの連続洗浄用のスイッチを操作すると、上記した肛門洗浄時と同様に電磁弁２３と切替弁Ｖ２，Ｖ４が開き、洗浄水３１を上記したように局部洗浄用供給流路３３を通って第２のシリンダ２８Ｂに供給し、その水圧でピストン２９とノズル３０を前進させる。したがって、ノズル３０は肛門洗浄位置に移動して肛門洗浄を所望の時間行う。
【００３９】
肛門洗浄が終了すると、電磁弁２３と切替弁Ｖ２，Ｖ４が自動的に閉じ、電磁弁２４が自動的に開く。電磁弁２３が閉じると、第２のシリンダ２８Ｂへの洗浄水３１の供給が停止するため、ピストン２９とノズル３０は復帰用ばね３２の弾撥力によって図３に示す初期位置に一旦復帰する。一方、電磁弁２４が開くと、洗浄水３１はノズル洗浄用供給流路３４を通って接続具５７に供給されるため、ノズル３０の洗浄を所望の時間行う。ノズル洗浄が終了するとビデ洗浄に自動的に切り替わり、電磁弁２３と切替弁Ｖ１，Ｖ３，Ｖ４が開き、電磁弁２４が閉じる。電磁弁２３が開くと、洗浄水３１は上記した通り局部洗浄用供給流路３３−第２のシリンダ２８Ｂを通って流路３５ａ−流路３５ｃの一部−流路３５ｂ−第１のシリンダ２８Ａ−流路３５ｄ−３５ｅ−ビデ洗浄用通路６６に供給されるため、ノズル３０をビデ洗浄位置に前進させ、その噴出口６６ａから噴出することによりビデ洗浄を所望の時間行う。そして、ビデ洗浄が終了すると、電磁弁２３と切替弁Ｖ１，Ｖ３，Ｖ４が自動的に閉じ、ピストン２９とノズル３０が復帰用ばね３２の弾撥力によって図３に示す初期位置に復帰し、電磁弁２４が開くことによりノズル３０を所望の時間洗浄する。
【００４１】
【発明の効果】
以上説明したように本発明に係る人体局部洗浄装置によれば、水圧式洗浄ノズルのシリンダに形成したノズル洗浄用給水口とノズル洗浄用供給流路とを接続するノズル洗浄用の接続手段を備え、その接続口がノズル洗浄用供給流路側となるように接続手段を前記シリンダの接続部に対して取付けたので、ノズル洗浄用供給流路がノズルに対して左右のどちら側に配管されていても洗浄ノズルを共通に使用することができる。したがって、洗浄ノズルの種類を１種類とすることができ、部品の共通化と製造コストを低減することができる。また、在庫管理も容易である。
【図面の簡単な説明】
【図１】  本発明の一実施の形態を示す洗浄ノズルの外観斜視図である。
【図２】  同ノズルの洗浄装置本体内に組み込まれている状態を示す平面図である。
【図３】  不使用時の断面図である。
【図４】  ピストンの斜視図である。
【図５】  図１のＶ−Ｖ線断面図である。
【図６】  肛門洗浄時の状態を示す断面図である。
【図７】  ビデ洗浄時の状態を示す断面図である。
【図８】  従来の人体局部洗浄装置を備えたユニットバスの内部を示す平面図である。
【符号の説明】
２…洗浄装置本体、１０…給水配管、１１…給湯配管、２１…洗浄ノズル、２８…操作用シリンダ、２９…ピストン、３０…ノズル、３３…局部洗浄用供給流路、３４…ノズル洗浄用供給流路、４２…洗浄水供給口、４３…接続具、４３Ａ…本体、４３Ｂ…接続部、４４…接続口、５５…ノズル洗浄用給水口、５６…接続部、５７…接続具、６０…吐出口、６１…接続口、６２…ノズル洗浄室、６５ａ，６６ａ…噴出口。
【図１】
0003645457.tif 000002
【図２】
0003645457.tif 000003
【図３】
0003645457.tif 000004
【図４】
0003645457.tif 000005
【図５】
0003645457.tif 000006
【図６】
0003645457.tif 000007
【図７】
0003645457.tif 000008
【図８】
0003645457.tif 000009